(57)【要約】【課題】利便性の高い表示装置の制御プログラム、画像読取装置、表示装置、表示装置の制御方法、画像読取装置の制御方法、および画像読取装置の制御プログラムを提供する。【解決手段】表示装置としてのモバイル機器２００は、画像読取装置としての画像形成装置と電気通信を行わない状態で、複数ページの画像の各々を順番に表示することにより、複数ページの画像を画像形成装置に読み取らせる。モバイル機器２００は、複数ページの画像の各々を順番に表示し、複数ページの画像のうち一のページの画像を表示した場合に、画像の読み取りの際に移動する画像形成装置のスライダー１１１の移動動作を検出する。モバイル機器２００は、検出した移動動作に基づいて、表示する画像を、複数ページの画像のうち一のページとは異なる他のページの画像に切り替える。【選択図】図７
2015100055.tif 000002
【特許請求の範囲】
【請求項１】
画像読取装置と電気通信を行わない状態で、複数ページの画像の各々を順番に表示することにより、前記複数ページの画像を前記画像読取装置に読み取らせる表示装置の制御プログラムであって、
前記複数ページの画像の各々を順番に表示する表示ステップと、
前記表示ステップにて前記複数ページの画像のうち一のページの画像を表示した場合に、画像の読み取りの際に移動する前記画像読取装置のスライダーの移動動作を検出する動作検出ステップとをコンピューターに実行させ、
前記表示ステップにおいて、前記動作検出ステップにて検出した移動動作に基づいて、表示する画像を、前記複数ページの画像のうち前記一のページとは異なる他のページの画像に切り替える、表示装置の制御プログラム。
【請求項２】
前記動作検出ステップにおいて、前記複数ページの画像の各々が表示される平面である表示面が向いている側の空間を撮像した画像、および前記スライダーの移動動作時の音のうち少なくともいずれか一方に基づいて、前記スライダーの移動動作を検出する、請求項１に記載の表示装置の制御プログラム。
【請求項３】
前記動作検出ステップにおいて、前記複数ページの画像の各々が表示される平面である表示面が向いている側の空間を撮像した画像に基づいて、前記スライダーの移動動作を検出する、請求項２に記載の表示装置の制御プログラム。
【請求項４】
前記動作検出ステップは、
前記複数ページの画像の各々が表示される平面である表示面が向いている側の空間を撮像する撮像ステップと、
前記撮像ステップにて撮像した画像に基づいて、移動動作の開始位置に前記スライダーが戻るのを検出する戻り検出ステップとを含み、
前記開始位置に前記スライダーが戻るのを前記戻り検出ステップにて検出した場合に、前記表示ステップにおいて表示する画像を切り替える、請求項３に記載の表示装置の制御プログラム。
【請求項５】
前記動作検出ステップにおいて、前記スライダーの移動動作時の音に基づいて、前記スライダーの移動動作を検出する、請求項２に記載の表示装置の制御プログラム。
【請求項６】
前記動作検出ステップは、１ページ分の画像の読み取りが完了する度に前記画像読取装置が発する音を検出する音検出ステップを含み、
前記画像読取装置が発する音を前記音検出ステップにて検出した場合に、前記表示ステップにおいて表示する画像を切り替える、請求項５に記載の表示装置の制御プログラム。
【請求項７】
前記表示ステップにて前記複数ページの画像のうち一のページの画像を表示した場合に、前記一のページの画像に所定のサイズ以下の文字が含まれているか否かを判別するサイズ判別ステップと、
前記サイズ判別ステップにて所定のサイズ以下の文字が含まれていると判別した場合に、前記一のページの画像を複数の分割画像に分割する分割ステップと、
前記複数の分割画像の各々を、前記表示ステップにて表示した前記一のページの画像の倍率よりも高い倍率で表示する表示する分割表示ステップとをさらにコンピューターに実行させ、
前記分割表示ステップにて前記複数の分割画像の全てを表示した後で、前記表示ステップにおいて表示する画像を切り替える、請求項１〜６のいずれかに記載の表示装置の制御プログラム。
【請求項８】
前記分割ステップにおいて、前記複数の分割画像の各々に含まれる文字のサイズに応じて、前記複数の分割画像の各々の分割サイズを決定する、請求項７に記載の表示装置の制御プログラム。
【請求項９】
前記分割表示ステップは、
前記複数の分割画像のうち特定の分割画像の長手方向と、前記表示ステップにて表示した前記一のページの画像の長手方向とが一致しているか否かを判別する方向判別ステップと、
前記方向判別ステップにて一致していないと判別した場合、前記特定の分割画像を９０度回転して表示する回転表示ステップとを含む、請求項７または８に記載の表示装置の制御プログラム。
【請求項１０】
前記スライダーの副走査方向が上下方向となるように前記一のページの画像を配置した場合における前記複数の分割画像の各々の左上隅の座標を基準座標に決定する基準座標決定ステップをさらにコンピューターに実行させ、
前記分割表示ステップは、
前記一のページの画像内の左上のエリアに存在する第１の分割画像を表示する第１の分割表示ステップと、
前記第１の分割表示ステップにて前記第１の分割画像を表示した後で、前記第１の分割画像の基準座標の副走査方向の成分と同一の副走査方向の成分の基準座標を有する第２の分割画像を表示する第２の分割表示ステップと、
前記第２の分割表示ステップにて全ての前記第２の分割画像を表示した後で、前記第１の分割画像の基準座標の主走査方向の成分と同一の主走査方向の成分の基準座標であって前記第１の分割画像の基準座標に最も近い基準座標を有する第３の分割画像を表示する第３の分割表示ステップと、
前記第３の分割表示ステップにて前記第３の分割画像を表示した後で、前記第３の分割画像の基準座標の副走査方向の成分と同一の副走査方向の成分の基準座標を有する第４の分割画像を表示する第４の分割表示ステップとを含む、請求項７〜９のいずれかに記載の表示装置の制御プログラム。
【請求項１１】
前記サイズ判別ステップにて所定のサイズ以下の文字が含まれていると判別した場合に、前記分割表示ステップでの表示を開始する前に、全面が第１の色のみにより構成された単色画像を表示する第１の単色画像表示ステップと、
前記分割表示ステップにて前記複数の分割画像の全てを表示した後で、全面が第２の色のみにより構成された単色画像を表示する第２の単色画像表示ステップとをさらにコンピューターに実行させる、請求項７〜１０のいずれかに記載の表示装置の制御プログラム。
【請求項１２】
前記表示ステップにて前記一のページの画像を表示した場合に、前記スライダーにおける対象物に対して光を照射可能な照射部の点灯の有無を判別する点灯判別ステップと、
前記点灯判別ステップにて前記照射部が点灯していると判別した場合に、前記照射部の点灯を通知する通知ステップとをさらにコンピューターに実行させる、請求項１〜１１のいずれかに記載の表示装置の制御プログラム。
【請求項１３】
前記動作検出ステップにて前記スライダーの移動動作の向きをさらに検出し、
前記スライダーの移動動作の向きに基づいて、前記他のページの画像を表示する向きを決定する方向決定ステップをさらにコンピューターに実行させる、請求項１〜１２のいずれかに記載の表示装置の制御プログラム。
【請求項１４】
前記複数ページの画像の全てを表示した後で、全面が第３の色のみにより構成された単色画像を表示する第３の単色画像表示ステップをさらにコンピューターに実行させる、請求項１〜１３のいずれかに記載の表示装置の制御プログラム。
【請求項１５】
表示装置と電気通信を行わない状態で、前記表示装置が順番に表示する複数ページの画像の各々を読み取る画像読取装置であって、
前記表示装置が表示した前記複数ページの画像の各々を読み取る場合に、対象物に対して光を照射可能な照射部を含むスライダーを移動させるスライダー移動手段と、
前記スライダー移動手段にて前記スライダーを移動させながら、前記照射部から光を照射せずに、前記表示装置が表示した前記複数ページの画像の各々を読み取る画像読取手段とを備えた、画像読取装置。
【請求項１６】
前記画像読取手段にて前記複数ページの画像のうち一のページの画像を読み取った後で、全面が第１の色のみにより構成された単色画像を読み取る第１の単色画像読取手段と、
前記第１の単色画像読取手段にて読み取った後で、全面が第２の色のみにより構成された単色画像を読み取る第２の単色画像読取手段と、
前記第１の単色画像読取手段にて読み取った後であって、前記第２の単色画像読取手段にて読み取る前に、複数の分割画像を読み取る分割画像読取手段と、
前記分割画像読取手段にて読み取った前記複数の分割画像の各々を、前記画像読取手段にて読み取った前記一のページの画像の一部と置き換える置き換え手段とをさらに備えた、請求項１５に記載の画像読取装置。
【請求項１７】
前記画像読取手段にて１ページ分の画像の読み取りを終える度に、音を発する音発生手段をさらに備えた、請求項１５または１６に記載の画像読取装置。
【請求項１８】
画像読取装置と電気通信を行わない状態で、複数ページの画像の各々を順番に表示することにより、前記複数ページの画像を前記画像読取装置に読み取らせる表示装置であって、
前記複数ページの画像の各々を順番に表示する表示手段と、
前記表示手段にて前記複数ページの画像のうち一のページの画像を表示した場合に、画像の読み取りの際に移動する前記画像読取装置のスライダーの移動動作を検出する動作検出手段とを備え、
前記表示手段は、前記動作検出手段にて検出した移動動作に基づいて、表示する画像を、前記複数ページの画像のうち前記一のページとは異なる他のページの画像に切り替える、表示装置。
【請求項１９】
画像読取装置と電気通信を行わない状態で、複数ページの画像の各々を順番に表示することにより、前記複数ページの画像を前記画像読取装置に読み取らせる表示装置の制御方法であって、
前記複数ページの画像の各々を順番に表示する表示ステップと、
前記表示ステップにて前記複数ページの画像のうち一のページの画像を表示した場合に、画像の読み取りの際に移動する前記画像読取装置のスライダーの移動動作を検出する動作検出ステップとを備え、
前記表示ステップにおいて、前記動作検出ステップにて検出した移動動作に基づいて、表示する画像を、前記複数ページの画像のうち前記一のページとは異なる他のページの画像に切り替える、表示装置の制御方法。
【請求項２０】
表示装置と電気通信を行わない状態で、前記表示装置が順番に表示する前記複数ページの画像の各々を読み取る画像読取装置の制御方法であって、
前記表示装置が表示した前記複数ページの画像の各々を読み取る場合に、対象物に対して光を照射可能な照射部を含むスライダーを移動させるスライダー移動ステップと、
前記スライダー移動ステップにて前記スライダーを移動させながら、前記照射部から光を照射せずに、前記表示装置が表示した前記複数ページの画像の各々を読み取る画像読取ステップとを備えた、画像読取装置の制御方法。
【請求項２１】
表示装置と電気通信を行わない状態で、前記表示装置が順番に表示する前記複数ページの画像の各々を読み取る画像読取装置の制御プログラムであって、
前記表示装置が表示した前記複数ページの画像の各々を読み取る場合に、対象物に対して光を照射可能な照射部を含むスライダーを移動させるスライダー移動ステップと、
前記スライダー移動ステップにて前記スライダーを移動させながら、前記照射部から光を照射せずに、前記表示装置が表示した前記複数ページの画像の各々を読み取る画像読取ステップとをコンピューターに実行させる、画像読取装置の制御プログラム。
【発明の詳細な説明】
【技術分野】
【０００１】
本発明は、表示装置の制御プログラム、画像読取装置、表示装置、表示装置の制御方法、画像読取装置の制御方法、および画像読取装置の制御プログラムに関し、より特定的には、利便性の高い表示装置の制御プログラム、画像読取装置、表示装置、表示装置の制御方法、画像読取装置の制御方法、および画像読取装置の制御プログラムに関する。
【背景技術】
【０００２】
電子写真式の画像形成装置には、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
スマートフォンやタブレット端末などの携帯通信端末（モバイル端末）の高機能化に伴い、携帯通信端末と画像形成装置との連携が求められている。具体的には、携帯通信端末を通じて画像形成装置を操作することや、携帯通信端末内に記憶された文書を画像形成装置で印刷することなどが求められている。
【０００４】
携帯通信端末と画像形成装置との連携のさらなる形態として、携帯通信端末に保存された複数ページの画像を順番に携帯通信端末に表示し、それを画像形成装置の画像読取装置（スキャナー）で読み取ることが提案されている。この連携に関する技術では、携帯通信端末と画像形成装置との間の電気通信により、画像読取装置での画像の読み取りが完了したタイミングを携帯通信端末に通知し、その通知に基づいて携帯通信端末に表示する画像を次ページの画像に切り替える制御が行われる。
【０００５】
なお、携帯通信端末と画像読取装置との連携に関する技術は、たとえば下記特許文献１および２などに開示されている。下記特許文献１には、電子ブック装置の表示画像を適切に読み取ることのできる画像読取装置が開示されている。この技術では、画像読取装置は、電子ブック装置上での画像表示部の存在領域を示す情報を電子ブック装置から通信で取得し、電子ブック装置を光学的に読み取る範囲を画像表示部に対応する部分のみとする。または画像読取装置は、電子ブック装置全体を光学的に読み取って得た画像データの中から画像表示部に対応する部分のみを有効な画像データとして切り出す。
【０００６】
下記特許文献２には、情報端末装置の表示画面に表示されているコンテンツを画像読取り装置で読取って記録用紙に印刷し、コンテンツの複写を簡単かつ短時間に行うことを可能にする技術が開示されている。この技術では、情報端末装置を画像読取装置の原稿載置板の定位置に載置して、画像読取装置の第１走査ユニットを、原稿載置板を介して情報端末装置の表示画面と対峙する位置まで移動させて位置決めし、第１走査ユニットの光源により情報端末装置の表示画面を原稿載置板を介して照明し、ＣＣＤ（Ｃｈａｒｇｅ  Ｃｏｕｐｌｅｄ  Ｄｅｖｉｃｅ）により表示画面のコンテンツを読み取る。またこの技術では、情報端末装置の表示画面の縦方向を副走査方向に一致させ、この状態で情報端末装置の表示画面のコンテンツが副走査方向に移動表示されるような表示制御を行って、コンテンツの副走査方向の移動速度をＣＣＤによる主走査方向の読取り繰返し速度と同期させる。
【先行技術文献】
【特許文献】
【０００７】
【特許文献１】特開２０１２−４９９５号公報
【特許文献２】特開２０１２−１０４８７３号公報
【発明の概要】
【発明が解決しようとする課題】
【０００８】
外出先やセキュリティ上の都合により携帯通信端末がネットワークに接続できない状況では、携帯通信端末と画像形成装置との間で電気通信を行うことはできない。このような状況で、携帯通信端末に保存された複数ページの画像を順番に携帯通信端末に表示し、それを画像形成装置のスキャナーで読み取る場合には、ユーザーは、携帯通信端末に表示する画像を１ページずつ手動で切り替える必要があった。その結果、画像のページ数が多い場合には時間がかかり、操作が煩雑になり、利便性が低下していた。この問題は、携帯通信端末および画像形成装置に限らず、表示装置全般および画像読取装置全般で生じうるものである。
【０００９】
本発明は、上記課題を解決するためのものであり、その目的は、利便性の高い表示装置の制御プログラム、画像読取装置、表示装置、表示装置の制御方法、画像読取装置の制御方法、および画像読取装置の制御プログラムを提供することである。
【課題を解決するための手段】
【００１０】
本発明の一の局面に従う表示装置の制御プログラムは、画像読取装置と電気通信を行わない状態で、複数ページの画像の各々を順番に表示することにより、複数ページの画像を画像読取装置に読み取らせる表示装置の制御プログラムであって、複数ページの画像の各々を順番に表示する表示ステップと、表示ステップにて複数ページの画像のうち一のページの画像を表示した場合に、画像の読み取りの際に移動する画像読取装置のスライダーの移動動作を検出する動作検出ステップとをコンピューターに実行させ、表示ステップにおいて、動作検出ステップにて検出した移動動作に基づいて、表示する画像を、複数ページの画像のうち一のページとは異なる他のページの画像に切り替える。
【００１１】
上記表示装置の制御プログラムにおいて好ましくは、動作検出ステップにおいて、複数ページの画像の各々が表示される平面である表示面が向いている側の空間を撮像した画像、およびスライダーの移動動作時の音のうち少なくともいずれか一方に基づいて、スライダーの移動動作を検出する。
【００１２】
上記表示装置の制御プログラムにおいて好ましくは、動作検出ステップにおいて、複数ページの画像の各々が表示される平面である表示面が向いている側の空間を撮像した画像に基づいて、スライダーの移動動作を検出する。
【００１３】
上記表示装置の制御プログラムにおいて好ましくは、動作検出ステップは、複数ページの画像の各々が表示される平面である表示面が向いている側の空間を撮像する撮像ステップと、撮像ステップにて撮像した画像に基づいて、移動動作の開始位置にスライダーが戻るのを検出する戻り検出ステップとを含み、開始位置にスライダーが戻るのを戻り検出ステップにて検出した場合に、表示ステップにおいて表示する画像を切り替える。
【００１４】
上記表示装置の制御プログラムにおいて好ましくは、動作検出ステップにおいて、スライダーの移動動作時の音に基づいて、スライダーの移動動作を検出する。
【００１５】
上記表示装置の制御プログラムにおいて好ましくは、動作検出ステップは、１ページ分の画像の読み取りが完了する度に画像読取装置が発する音を検出する音検出ステップを含み、画像読取装置が発する音を音検出ステップにて検出した場合に、表示ステップにおいて表示する画像を切り替える。
【００１６】
上記表示装置の制御プログラムにおいて好ましくは、表示ステップにて複数ページの画像のうち一のページの画像を表示した場合に、一のページの画像に所定のサイズ以下の文字が含まれているか否かを判別するサイズ判別ステップと、サイズ判別ステップにて所定のサイズ以下の文字が含まれていると判別した場合に、一のページの画像を複数の分割画像に分割する分割ステップと、複数の分割画像の各々を、表示ステップにて表示した一のページの画像の倍率よりも高い倍率で表示する表示する分割表示ステップとをさらにコンピューターに実行させ、分割表示ステップにて複数の分割画像の全てを表示した後で、表示ステップにおいて表示する画像を切り替える。
【００１７】
上記表示装置の制御プログラムにおいて好ましくは、分割ステップにおいて、複数の分割画像の各々に含まれる文字のサイズに応じて、複数の分割画像の各々の分割サイズを決定する。
【００１８】
上記表示装置の制御プログラムにおいて好ましくは、分割表示ステップは、複数の分割画像のうち特定の分割画像の長手方向と、表示ステップにて表示した一のページの画像の長手方向とが一致しているか否かを判別する方向判別ステップと、方向判別ステップにて一致していないと判別した場合、特定の分割画像を９０度回転して表示する回転表示ステップとを含む。
【００１９】
上記表示装置の制御プログラムにおいて好ましくは、スライダーの副走査方向が上下方向となるように一のページの画像を配置した場合における複数の分割画像の各々の左上隅の座標を基準座標に決定する基準座標決定ステップをさらにコンピューターに実行させ、分割表示ステップは、一のページの画像内の左上のエリアに存在する第１の分割画像を表示する第１の分割表示ステップと、第１の分割表示ステップにて第１の分割画像を表示した後で、第１の分割画像の基準座標の副走査方向の成分と同一の副走査方向の成分の基準座標を有する第２の分割画像を表示する第２の分割表示ステップと、第２の分割表示ステップにて全ての第２の分割画像を表示した後で、第１の分割画像の基準座標の主走査方向の成分と同一の主走査方向の成分の基準座標であって第１の分割画像の基準座標に最も近い基準座標を有する第３の分割画像を表示する第３の分割表示ステップと、第３の分割表示ステップにて第３の分割画像を表示した後で、第３の分割画像の基準座標の副走査方向の成分と同一の副走査方向の成分の基準座標を有する第４の分割画像を表示する第４の分割表示ステップとを含む。
【００２０】
上記表示装置の制御プログラムにおいて好ましくは、サイズ判別ステップにて所定のサイズ以下の文字が含まれていると判別した場合に、分割表示ステップでの表示を開始する前に、全面が第１の色のみにより構成された単色画像を表示する第１の単色画像表示ステップと、分割表示ステップにて複数の分割画像の全てを表示した後で、全面が第２の色のみにより構成された単色画像を表示する第２の単色画像表示ステップとをさらにコンピューターに実行させる。
【００２１】
上記表示装置の制御プログラムにおいて好ましくは、表示ステップにて一のページの画像を表示した場合に、スライダーにおける対象物に対して光を照射可能な照射部の点灯の有無を判別する点灯判別ステップと、点灯判別ステップにて照射部が点灯していると判別した場合に、照射部の点灯を通知する通知ステップとをさらにコンピューターに実行させる。
【００２２】
上記表示装置の制御プログラムにおいて好ましくは、動作検出ステップにてスライダーの移動動作の向きをさらに検出し、スライダーの移動動作の向きに基づいて、他のページの画像を表示する向きを決定する方向決定ステップをさらにコンピューターに実行させる。
【００２３】
上記表示装置の制御プログラムにおいて好ましくは、複数ページの画像の全てを表示した後で、全面が第３の色のみにより構成された単色画像を表示する第３の単色画像表示ステップをさらにコンピューターに実行させる。
【００２４】
本発明の他の局面に従う画像読取装置は、表示装置と電気通信を行わない状態で、表示装置が順番に表示する複数ページの画像の各々を読み取る画像読取装置であって、表示装置が表示した複数ページの画像の各々を読み取る場合に、対象物に対して光を照射可能な照射部を含むスライダーを移動させるスライダー移動手段と、スライダー移動手段にてスライダーを移動させながら、照射部から光を照射せずに、表示装置が表示した複数ページの画像の各々を読み取る画像読取手段とを備える。
【００２５】
上記画像読取装置において好ましくは、画像読取手段にて複数ページの画像のうち一のページの画像を読み取った後で、全面が第１の色のみにより構成された単色画像を読み取る第１の単色画像読取手段と、第１の単色画像読取手段にて読み取った後で、全面が第２の色のみにより構成された単色画像を読み取る第２の単色画像読取手段と、第１の単色画像読取手段にて読み取った後であって、第２の単色画像読取手段にて読み取る前に、複数の分割画像を読み取る分割画像読取手段と、分割画像読取手段にて読み取った複数の分割画像の各々を、画像読取手段にて読み取った一のページの画像の一部と置き換える置き換え手段とをさらに備える。
【００２６】
上記画像読取装置において好ましくは、画像読取手段にて１ページ分の画像の読み取りを終える度に、音を発する音発生手段をさらに備える。
【００２７】
本発明のさらに他の局面に従う表示装置は、画像読取装置と電気通信を行わない状態で、複数ページの画像の各々を順番に表示することにより、複数ページの画像を画像読取装置に読み取らせる表示装置であって、複数ページの画像の各々を順番に表示する表示手段と、表示手段にて複数ページの画像のうち一のページの画像を表示した場合に、画像の読み取りの際に移動する画像読取装置のスライダーの移動動作を検出する動作検出手段とを備え、表示手段は、動作検出手段にて検出した移動動作に基づいて、表示する画像を、複数ページの画像のうち一のページとは異なる他のページの画像に切り替える。
【００２８】
本発明のさらに他の局面に従う表示装置の制御方法は、画像読取装置と電気通信を行わない状態で、複数ページの画像の各々を順番に表示することにより、複数ページの画像を画像読取装置に読み取らせる表示装置の制御方法であって、複数ページの画像の各々を順番に表示する表示ステップと、表示ステップにて複数ページの画像のうち一のページの画像を表示した場合に、画像の読み取りの際に移動する画像読取装置のスライダーの移動動作を検出する動作検出ステップとを備え、表示ステップにおいて、動作検出ステップにて検出した移動動作に基づいて、表示する画像を、複数ページの画像のうち一のページとは異なる他のページの画像に切り替える。
【００２９】
本発明のさらに他の局面に従う画像読取装置の制御方法は、表示装置と電気通信を行わない状態で、表示装置が順番に表示する複数ページの画像の各々を読み取る画像読取装置の制御方法であって、表示装置が表示した複数ページの画像の各々を読み取る場合に、対象物に対して光を照射可能な照射部を含むスライダーを移動させるスライダー移動ステップと、スライダー移動ステップにてスライダーを移動させながら、照射部から光を照射せずに、表示装置が表示した複数ページの画像の各々を読み取る画像読取ステップとを備える。
【００３０】
本発明のさらに他の局面に従う画像読取装置の制御プログラムは、表示装置と電気通信を行わない状態で、表示装置が順番に表示する複数ページの画像の各々を読み取る画像読取装置の制御プログラムであって、表示装置が表示した複数ページの画像の各々を読み取る場合に、対象物に対して光を照射可能な照射部を含むスライダーを移動させるスライダー移動ステップと、スライダー移動ステップにてスライダーを移動させながら、照射部から光を照射せずに、表示装置が表示した複数ページの画像の各々を読み取る画像読取ステップとをコンピューターに実行させる。
【発明の効果】
【００３１】
本発明によれば、利便性の高い表示装置の制御プログラム、画像読取装置、表示装置、表示装置の制御方法、画像読取装置の制御方法、および画像読取装置の制御プログラムを提供することができる。
【図面の簡単な説明】
【００３２】
【図１】本発明の第１の実施の形態における画像形成装置１００の構成を模式的に示す断面図である。
【図２】本発明の第１の実施の形態における画像形成装置１００の構成を模式的に示すブロック図である。
【図３】読取部１０１ｂの構成を模式的に示す断面図である。
【図４】本発明の第１の実施の形態におけるモバイル機器２００の構成を模式的に示す断面図である。
【図５】本発明の第１の実施の形態におけるモバイル機器２００の構成を模式的に示すブロック図である。
【図６】モバイル機器２００が記憶している画像ファイルの構成と、モバイル機器２００が画像ファイルの画像を表示する順番とを模式的に示す図である。
【図７】モバイル機器２００が表示する画像の切替方法を模式的に示す断面図である。
【図８】本発明の第１の実施の形態におけるモバイル機器２００の動作を示すフローチャートである。
【図９】本発明の第１の実施の形態における画像形成装置１００の動作を示すフローチャートである。
【図１０】本発明の第２の実施の形態における画像ファイルの２ページ目の画像、およびその分割画像を模式的に示す図である。
【図１１】本発明の第２の実施の形態において、２ページ目の画像に所定のサイズ以下の文字が含まれている場合に、モバイル機器２００が画像ファイルの画像を表示する順番を模式的に示す図である。
【図１２】本発明の第２の実施の形態におけるモバイル機器２００の動作を示すフローチャートである。
【図１３】本発明の第２の実施の形態における図１２のステップＳ１０８のサブルーチンである。
【図１４】本発明の第２の実施の形態における画像形成装置１００の動作を示すフローチャートである。
【図１５】本発明の第２の実施の形態における図１４のステップＳ２０７のサブルーチンである。
【図１６】本発明の第３の実施の形態における画像ファイルの２ページ目の画像の分割画像を模式的に示す図である。
【図１７】本発明の第３の実施の形態において、２ページ目の画像に所定のサイズ以下の文字が含まれている場合に、モバイル機器２００が画像ファイルの画像を表示する順番を模式的に示す図である。
【図１８】本発明の第３の実施の形態における図１２のステップＳ１０８のサブルーチンである。
【図１９】本発明の第３の実施の形態における図１４のステップＳ２０７のサブルーチンである。
【図２０】本発明の第４の実施の形態におけるモバイル機器２００の動作を示すフローチャートである。
【図２１】本発明の第５の実施の形態におけるモバイル機器２００の動作を示すフローチャートである。
【図２２】本発明の第５の実施の形態における画像形成装置１００の動作を示すフローチャートである。
【図２３】本発明の第６の実施の形態におけるスライダー１１１の移動方向と、次ページの画像の向きとの関係を模式的に示す図である。
【図２４】本発明の第６の実施の形態におけるモバイル機器２００の動作を示すフローチャートである。
【発明を実施するための形態】
【００３３】
以下、本発明の実施の形態について、図面に基づいて説明する。
【００３４】
以下の実施の形態においては、画像読取装置が画像形成装置であり、表示装置が携帯情報端末機器（モバイル機器）である場合について説明する。画像形成装置は、電子写真方式や静電記録方式などによって画像形成を行うものであり、スキャナー機能、ファクシミリ機能、複写機能、プリンターとしての機能、データ通信機能、およびサーバー機能を備えたＭＦＰや、ファクシミリ装置、複写機、プリンターなどを含む。画像読取装置は、原稿の画像を読み取り可能なものであればよく、画像形成装置の他、スキャナーなどであってもよい。表示装置は、画像を表示するものであればよく、たとえばタブレットＰＣ（Ｐｅｒｓｏｎａｌ  Ｃｏｍｐｕｔｅｒ）、やスマートフォンなどであってもよい。以下の実施の形態では、画像形成装置は、表示装置と電気通信を行わない状態で、表示装置に表示された画像の読み取りを行うが、表示装置および画像読取装置は、互いに電気通信を行う機能を有していてもよいし、有していなくてもよい。
【００３５】
［第１の実施の形態］
【００３６】
始めに、本実施の形態における画像形成装置の構成について説明する。
【００３７】
図１は、本発明の第１の実施の形態における画像形成装置１００の構成を模式的に示す断面図である。図２は、本発明の第１の実施の形態における画像形成装置１００の構成を模式的に示すブロック図である。
【００３８】
図１および図２を参照して、本実施の形態における画像形成装置１００は、ＭＦＰであり、スキャナー装置１０１と、画像処理装置１０２と、印刷装置１０３と、ＣＰＵ（Ｃｅｎｔｒａｌ  Ｐｒｏｃｅｓｓｉｎｇ  Ｕｎｉｔ）１０４と、操作パネル１０５と、記憶部１０６と、スピーカー１０７とを主に備えている。スキャナー装置１０１、画像処理装置１０２、印刷装置１０３、ＣＰＵ１０４、操作パネル１０５、記憶部１０６、およびスピーカー１０７の各々は、バスを通じて相互に接続されている。
【００３９】
スキャナー装置１０１は、画像形成装置１００本体の上部に設けられている。スキャナー装置１０１は、ＡＤＦ（Ａｕｔｏ  Ｄｏｃｕｍｅｎｔ  Ｆｅｅｄｅｒ）１０１ａと、読取部１０１ｂとを含んでいる。ＡＤＦ１０１ａは、読取部１０１ｂの上部を覆っている。ＡＤＦ１０１ａは、原稿トレイに載置された複数の原稿を、一枚ずつ読取部１０１ｂに供給する。読取部１０１ｂは、原稿の画像を読み取る。
【００４０】
画像処理装置１０２は、画像編集部１０２ａと、画像記憶部１０２ｂとを含んでいる。画像記憶部１０２ｂは、各種画像を記憶する。画像編集部１０２ａは、画像記憶部１０２ｂに記憶されている画像を編集する。また画像編集部１０２ａは、スキャナー装置１０１で読み取った原稿の画像ファイルを作成する。
【００４１】
印刷装置１０３は、印刷部１０３ａとステープル部１０３ｂとを含んでいる。印刷部１０３ａは、画像形成装置１００本体の中央部に設けられており、ステープル部１０３ｂは、画像形成装置１００本体に隣接して設けられている。印刷部１０３ａは、おおまかに、トナー像形成部、定着装置、および用紙搬送部などで構成される。印刷部１０３ａは、たとえば電子写真方式で用紙に画像を形成する（プリントする）。印刷部１０３ａは、いわゆるタンデム方式で４色の画像を合成し、用紙にカラー画像を形成可能に構成される。トナー像形成部は、Ｃ（シアン）、Ｍ（マゼンタ）、Ｙ（イエロー）、Ｋ（ブラック）の各色について設けられた感光体と、感光体からトナー像が転写（１次転写）される中間転写ベルトと、中間転写ベルトから用紙に画像を転写（２次転写）する転写部などで構成される。定着装置は、加熱ローラおよび加圧ローラを有する。定着装置は、加熱ローラと加圧ローラとでトナー像が形成された用紙を挟みながら搬送し、その用紙に加熱及び加圧を行なう。これにより、定着装置は、用紙に付着したトナーを溶融させて用紙に定着させ、用紙に画像を形成する。用紙搬送部は、給紙ローラ、搬送ローラ、およびそれらを駆動するモータなどで構成されている。用紙搬送部は、用紙を給紙カセットから給紙して、画像形成装置１００の筐体の内部で搬送する。また、用紙搬送部は、画像が形成された用紙を画像形成装置１００の筐体から排紙トレイなどに排出する。ステープル部１０３ｂは、印刷部１０３ａにて画像が形成された用紙に対して、ステープルなどの後処理を施す。
【００４２】
ＣＰＵ１０４は、制御プログラムに基づいて、画像形成装置１００全体を制御する。
【００４３】
操作パネル１０５は、表示パネル１０５ａと、検出部１０５ｂとを含んでいる。表示パネル１０５ａは、たとえば液晶画面であり、画像形成装置１００を操作するための各種操作画面を表示する。検出部１０５ｂは、操作パネル１０５のソフトウェアキーおよびハードウェアキーの操作を検出する。
【００４４】
記憶部１０６は、制御プログラムを始めとする各種データを記憶する。また記憶部１０６は、ＣＰＵ１０４のワークエリアとなる。
【００４５】
スピーカー１０７は、所定の場合に音を発生する。
【００４６】
図３は、読取部１０１ｂの構成を模式的に示す断面図である。
【００４７】
図３を参照して、読取部１０１ｂは、スライダー１１１と、ミラー群１１２と、レンズ１１３と、ＣＣＤ（Ｃｈａｒｇｅ  Ｃｏｕｐｌｅｄ  Ｄｅｖｉｃｅ）イメージセンサ１１４と、ガラス１１５と、モーター１１６とを含んでいる。スライダー１１１は、露光ランプ１１１ａ（照射部の一例）と、ミラー１１１ｂとを含んでいる。スライダー１１１は、図３中横方向に移動することにより、ガラス１１５上に載置された原稿（対象物）を走査する。露光ランプ１１１ａは、ガラス１１５上に載置された原稿に対して光を照射する。原稿からの反射光は、ミラー１１１ｂ、ミラー群１１２、およびレンズ１１３を通してＣＣＤイメージセンサ１１４が受光する。画像編集部１０２ａは、ＣＣＤイメージセンサ１１４が受光した反射光に基づいて読み取った原稿の画像データを作成する。モーター１１６はスライダー１１１を駆動する。
【００４８】
図４は、本発明の第１の実施の形態におけるモバイル機器２００の構成を模式的に示す断面図である。図５は、本発明の第１の実施の形態におけるモバイル機器２００の構成を模式的に示すブロック図である。
【００４９】
図４および図５を参照して、本実施の形態におけるモバイル機器２００は、表示部２０１と、カメラ２０２と、ＣＰＵ２０３と、検出部２０４と、マイク２０５と、記憶部２０６と、スピーカー２０７とを含んでいる。表示部２０１、カメラ２０２、ＣＰＵ２０３、検出部２０４、マイク２０５、記憶部２０６、およびスピーカー２０７の各々は、バスを通じて相互に接続されている。
【００５０】
表示部２０１は、平面の表示面を有しており、各種画像を表示する。表示部２０１は、長辺Ｌ１を有する矩形状を有している。
【００５１】
カメラ２０２は、フロントカメラであり、表示部２０１の表示面が向いている側（図４中上側）の空間を撮像する。
【００５２】
ＣＰＵ２０３は、制御プログラムに基づいて、モバイル機器２００全体の制御を行う。
【００５３】
検出部２０４は、表示部２０１の前面に設けられたタッチパネルを用いて、表示部２０１へのタッチを検出する。
【００５４】
マイク２０５は、モバイル機器２００の周囲の音を検出する。
【００５５】
記憶部２０６は、制御プログラムや、画像ファイルを始めとする各種データを記憶する。また記憶部２０６は、ＣＰＵ２０３のワークエリアとなる。
【００５６】
スピーカー２０７は、所定の場合に警告音を発生する。
【００５７】
次に、本実施の形態における画像形成装置およびモバイル機器の動作について説明する。
【００５８】
図６は、モバイル機器２００が記憶している画像ファイルの構成と、モバイル機器２００が画像ファイルの画像を表示する順番とを模式的に示す図である。
【００５９】
図６（ａ）を参照して、ここでは、画像ファイルは３ページの画像よりなっている。説明の便宜のため、１ページ目の画像には「Ａ」という文字が付されており、２ページ目の画像には「Ｂ」という文字が付されており、３ページ目の画像には「Ｃ」という文字が付されている。実際の画像にはこれらの文字は付されていない。
【００６０】
図６（ｂ）を参照して、画像ファイルの画像を画像形成装置１００に読み取らせる場合、ユーザーは、モバイル機器２００でスキャンアプリ（モバイル機器の表示画像を読み取らせるためのアプリケーション）を起動して、表示する画像ファイルを選択する。またユーザーは、モバイル機器２００を画像形成装置１００のスキャナー装置１０１に載置する。さらにユーザーは、画像形成装置１００をモバイル機器スキャンモード（モバイル機器の画像を読み取るモード）にセットする。
【００６１】
モバイル機器２００は、スキャンアプリが起動されると、画像形成装置１００と電気通信を行わない状態で、画像ファイルの画像を画像形成装置１００に読み取らせる。モバイル機器２００は、画像ファイルの１ページ目の画像、２ページ目の画像、および３ページ目の画像の各々をこの順番で表示することにより、画像ファイルの画像を画像形成装置１００に読み取らせる。モバイル機器２００は、全ての画像を表示した後で、たとえば全面が黒色のみにより構成された単色画像（以降、黒色画像と呼ぶことがある、以降の図では、右上から左下へ向かう太線のハッチングにより黒色画像を表している）を表示する。黒色画像は、画像ファイルに含まれる全ての画像を表示したことを、画像形成装置１００に通知するための画像である。なお、画像ファイルの画像を表示する順番はページ順でなくてもよく、任意である。
【００６２】
画像形成装置１００は、モバイル機器スキャンモードにセットされると、黒色画像を読み取るまで画像の読み取りを繰り返し、読み取った画像を記憶する。画像形成装置１００は、黒色画像を読み取ると、全てのページの画像を読み取ったと判断し、読み取った黒色画像を破棄して、画像の読み取りを終了する。
【００６３】
図７は、モバイル機器２００が表示する画像の切替方法を模式的に示す断面図である。
【００６４】
図７を参照して、モバイル機器２００は、表示部２０１の表示面およびカメラ２０２が下（スライダー１１１側）を向いた状態で、スキャナー装置１０１のガラス１１５上に載置されている。
【００６５】
画像形成装置１００は、開始位置ＳＴを起点としてスライダー１１１を矢印ＡＲ１で示す方向（副走査方向）に移動させることにより、モバイル機器２００が表示した画像を読み取る。モバイル機器２００が表示した画像を読み取る際、画像形成装置１００は、露光ランプ１１１ａをオフした状態で、モバイル機器２００のバックライトを光源として画像を読み取る。モバイル機器２００が表示した画像は十分に明るいためである。モバイル機器２００が表示した画像の光は、ミラー１１１ｂおよびミラー群１１２で反射され、ＣＣＤイメージセンサ１１４で受光される。
【００６６】
画像形成装置１００は、１ページ分の画像の読み取りが完了すると、スライダー１１１を矢印ＡＲ２で示すように開始位置ＳＴまで移動させる。その後、画像形成装置１００は、開始位置ＳＴを起点としてスライダー１１１を矢印ＡＲ３で示すように移動させることにより、モバイル機器２００に表示された次ページの画像を読み取る。
【００６７】
モバイル機器２００は、画像ファイルに含まれる任意の画像を表示した場合に、画像形成装置１００の読み取り動作を検出して、検出した読み取り動作に連動して表示する画面を次ページの画像に切り替える。モバイル機器２００は、たとえばカメラ２０２の撮像データに基づいて、画像の読み取りの際に移動するスライダー１１１の移動動作（スライド動作）を検出し、検出した移動動作に基づいて、表示する画像を次ページの画像に切り替える。
【００６８】
具体的には、モバイル機器２００は、画像ファイルに含まれる任意の画像を表示した場合に、カメラ２０２で撮像を開始する。モバイル機器２００は、カメラ２０２で撮像した画像に基づいて、開始位置ＳＴに戻るスライダー１１１を検出した場合（または、スライダー１１１を２回検出した場合）に、１回の画像の読み取りが終了したと判断し、表示する画像を次ページの画像に切り替える。なお、モバイル機器２００は、スライダー１１１の動作方向やスライダー１１１の位置を検出してもよい。
【００６９】
図８は、本発明の第１の実施の形態におけるモバイル機器２００の動作を示すフローチャートである。
【００７０】
図８を参照して、スキャンアプリが起動して、表示する画像ファイルが選択されると（Ｓ１０１）、モバイル機器２００のＣＰＵ２０３は、画像ファイルの１ページ目の画像を表示する（Ｓ１０２）。次にＣＰＵ２０３は、カメラのスイッチをオンして、カメラによる撮像を開始し、スライダーを２回検出したか否かを判別する（Ｓ１０３）。スライダーを２回検出したと判別するまで、ＣＰＵ２０３はステップＳ１０３の処理を繰り返す。
【００７１】
ステップＳ１０３において、スライダーを２回検出したと判別した場合（Ｓ１０３でＹＥＳ）、ＣＰＵ２０３は、最終ページを表示したか否かを判別する（Ｓ１０４）。
【００７２】
ステップＳ１０４において、最終ページを表示しないと判別した場合（Ｓ１０４でＮＯ）、ＣＰＵ２０３は、表示する画像を次ページの画像に切り替え（Ｓ１０６）、ステップＳ１０３の処理へ進む。
【００７３】
ステップＳ１０４において、最終ページを表示したと判別した場合（Ｓ１０４でＹＥＳ）、ＣＰＵ２０３は、黒色画像を表示し（Ｓ１０５）、処理を終了する。
【００７４】
図９は、本発明の第１の実施の形態における画像形成装置１００の動作を示すフローチャートである。
【００７５】
図９を参照して、モバイル機器スキャンモードにセットされると、画像形成装置１００のＣＰＵ１０４は、露光ランプを点灯せずに画像の読み取りを開始し（Ｓ２０２）、読み取った画像が黒色画像であるか否かを判別する（Ｓ２０３）。
【００７６】
ステップＳ２０３において、読み取った画像が黒色画像でないと判別した場合（Ｓ２０３でＮＯ）、ＣＰＵ１０４は、読み取った画像を記憶し（Ｓ２０５）、ステップＳ２０３の処理へ進む。
【００７７】
ステップＳ２０３において、読み取った画像が黒色画像であると判別した場合（Ｓ２０３でＹＥＳ）、ＣＰＵ１０４は、読み取った黒色画像のデータを破棄し（Ｓ２０４）、処理を終了する。
【００７８】
［第２の実施の形態］
【００７９】
第２および第３の実施の形態において、モバイル機器２００は、複数ページの画像のうち一のページの画像を表示した場合において、そのページの画像に所定のサイズ以下の文字が含まれているときは、そのページの画像を複数の分割画像に分割して表示する。
【００８０】
図１０は、本発明の第２の実施の形態における画像ファイルの２ページ目の画像、およびその分割画像を模式的に示す図である。
【００８１】
図１０（ａ）を参照して、２ページ目の画像は、「プリンターの市場予測」という表題が付された画像であり、文章が記載された部分Ｐ１と、グラフが記載された部分Ｐ２と、表が記載された部分Ｐ３とを主に含んでいる。部分Ｐ３の表中には、部分Ｐ１に含まれる文字よりも小さい文字が記載されている。部分Ｐ３に含まれる文字は、閾値となるフォントサイズ（たとえば１４ｐｔ）以下のフォントサイズ（たとえば１０ｐｔ）を有している。
【００８２】
図１０（ｂ）を参照して、表示した画像に、閾値以下のサイズの文字が含まれている場合、モバイル機器２００は、表示した画像を均等に４分割し、得られた４枚の分割画像を順番に表示する。具体的には、モバイル機器２００は、２ページ目の画像を、部分Ｐ１の上側を含む分割画像Ｂ１と、部分Ｐ２を含む分割画像Ｂ２と、部分Ｐ１の左下の領域と、部分Ｐ３の左側の領域とを含む分割画像Ｂ３と、部分Ｐ１の右下の領域と、部分Ｐ３の右側の領域とを含む分割画像Ｂ４とに分割する。モバイル機器２００は、画像に含まれる文字のサイズなどに応じて、２分割や６分割など分割数を増減してもよい。
【００８３】
図１１は、本発明の第２の実施の形態において、２ページ目の画像に所定のサイズ以下の文字が含まれている場合に、モバイル機器２００が画像ファイルの画像を表示する順番を模式的に示す図である。
【００８４】
図１１を参照して、始めにモバイル機器２００は、画像ファイルの１ページ目の画像および２ページ目の画像の各々をこの順番で表示する。次にモバイル機器２００は、たとえば全面が青色のみにより構成された単色画像（以降、青色画像と呼ぶことがある、以降の図では、右上から左下へ向かう細線のハッチングにより青色画像を表している）を表示する。青色画像は、青色画像に続いて表示する画像が、青色画像の直前に表示した画像の分割画像であることを、画像形成装置１００に通知するための画像である。青色画像に続いて、モバイル機器２００は、分割画像Ｂ１、Ｂ２、Ｂ３、およびＢ４をこの順番で１枚ずつ拡大表示する。分割画像Ｂ１、Ｂ２、Ｂ３、およびＢ４の各々は、２ページ目の画像の倍率よりも高い倍率で表示される。なお、複数の分割画像の間での表示する順番は任意である。全ての分割画像を表示した後、モバイル機器２００は、たとえば全面が赤色のみにより構成された単色画像（以降、赤色画像と呼ぶことがある、以降の図では、左上から右下へ向かう細線のハッチングにより赤色画像を表している）を表示する。赤色画像は、分割の対象となったページに関する全ての分割画像を表示したことを、画像形成装置１００に通知するための画像である。
【００８５】
なお、続いて表示する画像が分割画像であることを通知するための画像、分割の対象となったページに関する全ての分割画像を表示したことを通知するための画像、および画像ファイルに含まれる全ての画像を表示したことを通知するための画像は、互いに異なる色の単色画像であってもよいし、同一色の単色画像であってもよい。
【００８６】
画像形成装置１００は、１ページ目の画像および２ページ目の画像の各々を読み取り、記憶する。画像形成装置１００は、青色画像を読み取ると、青色画像の直前に表示した画像を基準画像に設定し、青色画像を破棄する。そして画像形成装置１００は、青色画像に続いて読み取った分割画像と、基準画像と対比（照合）することにより、分割画像の位置およびサイズを判断する。そして画像形成装置１００は、基準画像のレイアウトを維持しつつ、読み取った分割画像と重複している基準画像の一部の領域を、読み取った分割画像と置き換える。画像形成装置１００は、赤色画像を読み取ると、赤色画像を破棄して、基準画像と分割画像との置き換えを終了する。その結果、基準画像となったページの画像が、より高い解像度の画像として得られる。
【００８７】
モバイル機器２００は、赤色画像に続いて３ページ目の画像を表示し、その後黒色画像を表示する。
【００８８】
画像形成装置１００は、基準画像と分割画像との置き換えを終了した後、３ページ目の画像を読み取り、記憶する。画像形成装置１００は、黒色画像を読み取ると、全てのページの画像を読み取ったと判断し、読み取った黒色画像を破棄して、画像の読み取りを終了する。
【００８９】
図１２は、本発明の第２の実施の形態におけるモバイル機器２００の動作を示すフローチャートである。
【００９０】
図１２を参照して、このフローチャートは、ステップＳ１０３に続く処理が図８に示すフローチャートと異なっている。ステップＳ１０３において、スライダーを２回検出したと判別した場合（Ｓ１０３でＹＥＳ）、ＣＰＵ２０３は、表示した画像に所定のサイズ以下の文字が含まれているか否かを判別する（Ｓ１０７）。
【００９１】
ステップＳ１０７において、表示した画像に所定のサイズ以下の文字が含まれていると判別した場合（Ｓ１０７でＹＥＳ）、ＣＰＵ２０３は、後述する分割表示処理を行い（Ｓ１０８）、ステップＳ１０４の処理へ進む。
【００９２】
ステップＳ１０７において、表示した画像に所定のサイズ以下の文字が含まれていないと判別した場合（Ｓ１０７でＮＯ）、ＣＰＵ２０３は、分割表示処理を行わずに、ステップＳ１０４の処理へ進む。上述以外の処理は、図８に示すフローチャートと同様である。
【００９３】
図１３は、本発明の第２の実施の形態における図１２のステップＳ１０８のサブルーチンである。
【００９４】
図１３を参照して、ステップＳ１０８の分割表示処理において、ＣＰＵ２０３は、青色画像を表示し（Ｓ３０１）、対象となる画像を等しいサイズに分割することにより、複数の分割画像を作成する（Ｓ３０２）。続いてＣＰＵ２０３は、最初の分割画像を拡大表示し（Ｓ３０３）、スライダーを２回検出したか否かを判別する（Ｓ３０４）。スライダーを２回検出したと判別するまで、ＣＰＵ２０３はステップＳ３０４の処理を繰り返す。
【００９５】
ステップＳ３０４において、スライダーを２回検出したと判別した場合（Ｓ３０４でＹＥＳ）、ＣＰＵ２０３は、最後の分割画像を表示したか否かを判別する（Ｓ３０５）。
【００９６】
ステップＳ３０５において、最後の分割画像を表示しないと判別した場合（Ｓ３０５でＮＯ）、ＣＰＵ２０３は、拡大表示する画像を次の分割画像に切り替え（Ｓ３０７）、ステップＳ３０４の処理へ進む。
【００９７】
ステップＳ３０５において、最後の分割画像を表示したと判別した場合（Ｓ３０５でＹＥＳ）、ＣＰＵ２０３は赤色画像を表示し（Ｓ３０６）、リターンする。
【００９８】
図１４は、本発明の第２の実施の形態における画像形成装置１００の動作を示すフローチャートである。
【００９９】
図１４を参照して、このフローチャートは、ステップＳ２０３に続く処理が図９に示すフローチャートと異なっている。ステップＳ２０３において、読み取った画像が黒色画像でないと判別した場合（Ｓ２０３でＮＯ）、ＣＰＵ１０４は、読み取った画像が青色画像であるか否かを判別する（Ｓ２０６）。
【０１００】
ステップＳ２０６において、読み取った画像が青色画像であると判別した場合（Ｓ２０６でＹＥＳ）、ＣＰＵ１０４は、後述する分割画像スキャン処理を行い（Ｓ２０７）、ステップＳ２０３の処理へ進む。
【０１０１】
ステップＳ２０６において、読み取った画像が青色画像でないと判別した場合（Ｓ２０６でＮＯ）、ＣＰＵ１０４は、読み取った画像を記憶し（Ｓ２０５）、ステップＳ２０３の処理へ進む。上述以外の処理は、図９に示すフローチャートと同様である。
【０１０２】
図１５は、本発明の第２の実施の形態における図１４のステップＳ２０７のサブルーチンである。
【０１０３】
図１５を参照して、ステップＳ２０７の分割画像スキャン処理において、ＣＰＵ１０４は、青色画像の直前に読み取った画像を基準画像に設定し（Ｓ４０１）、読み取った青色画像のデータを破棄し（Ｓ４０２）、分割画像の読み取りを開始する（Ｓ４０３）。次にＣＰＵ１０４は、読み取った画像が赤色画像か否かを判別する（Ｓ４０４）。
【０１０４】
ステップＳ４０４において、読み取った画像が赤色画像でないと判別した場合（Ｓ４０４でＮＯ）、ＣＰＵ１０４は、読み取った分割画像の拡大率を元の拡大率に戻し（Ｓ４０６）、読み取った分割画像と基準画像の対応部分とを置き換え（Ｓ４０７）、ステップＳ４０４の処理へ進む。
【０１０５】
ステップＳ４０４において、読み取った画像が赤色画像であると判別した場合（Ｓ４０４でＹＥＳ）、ＣＰＵ１０４は、スキャンした赤色画像のデータを破棄し（Ｓ４０５）、リターンする。
【０１０６】
なお、本実施の形態における画像形成装置１００およびモバイル機器２００の構成、ならびに画像形成装置１００およびモバイル機器２００の上述以外の動作は、第１の実施の形態の場合と同様であるので、その説明は繰り返さない。
【０１０７】
［第３の実施の形態］
【０１０８】
本実施の形態において、モバイル機器２００は、複数の分割画像の各々に含まれる文字のサイズに応じて、複数の分割画像の各々の分割サイズおよび拡大率を決定する。
【０１０９】
図１６は、本発明の第３の実施の形態における画像ファイルの２ページ目の画像の分割画像を模式的に示す図である。なお、画像ファイルの２ページ目の画像は、図１０（ａ）に示す第２の実施の形態の画像と同一であるものとする。図１６では、スライダー１１１の主走査方向をｘ軸方向とし、副走査方向をｙ軸方向としている。座標ｘ１＜座標ｘ２＜座標ｘ３＜座標ｘ４であり、座標ｙ１＜座標ｙ２＜座標ｙ３であるものとする。
【０１１０】
図１６を参照して、モバイル機器２００は、小さいサイズの文字を含む領域である部分Ｐ３を含む分割画像を、より小さい分割サイズで作成する。すなわち、モバイル機器２００は、２ページ目の画像を、分割画像Ｂ１、Ｂ２、Ｂ３、およびＢ４（図１０（ｂ））に加えて、部分Ｐ３の左側の領域を含む分割画像Ｂ５と、部分Ｐ３の右側の領域を含む分割画像Ｂ６とにさらに分割する。分割画像Ｂ５およびＢ６の各々の分割サイズ（領域の広さ）は、分割画像Ｂ１、Ｂ２、Ｂ３、およびＢ４の各々の分割サイズよりも小さい。言い換えれば、分割画像Ｂ５およびＢ６の各々は、分割画像Ｂ１、Ｂ２、Ｂ３、およびＢ４の各々が表示される際の拡大率よりも大きい拡大率でモバイル機器２００に表示される。分割画像Ｂ５は、分割画像Ｂ３およびＢ４の一部と重複しており、分割画像Ｂ６は、分割画像Ｂ４の一部と重複している。
【０１１１】
なお、分割画像同士は上述のように重複していてもよいが、分割画像Ｂ３を、分割画像Ｂ５との重複部分を除外した領域とし、分割画像Ｂ４を、分割画像Ｂ６との重複部分を除外した領域とすることにより、重複を回避してもよい。
【０１１２】
また、モバイル機器２００は、分割画像の長手方向と、分割の対象となった画像の長手方向とが一致していない場合には、その分割画像を９０度回転して表示する。具体的には、分割画像Ｂ１、Ｂ２、Ｂ３、Ｂ４、およびＢ６の各々の長手方向は、図１６中縦方向であり、２ページ目の画像の長手方向と一致している。一方で、分割画像Ｂ５の長手方向は、図１６中横方向であり、２ページ目の画像の長手方向と一致していない。したがって、モバイル機器２００は、分割画像Ｂ５を、矢印ＡＲ４で示すように、たとえば時計回りに９０度回転して表示する。
【０１１３】
さらに、モバイル機器２００は、分割画像Ｂ１、Ｂ２、Ｂ３、Ｂ４、Ｂ５、およびＢ６を表示する順番を次の方法で決定する。始めに、モバイル機器２００は、スライダーの副走査方向（ｙ軸方向）が上下方向となるように２ページ目の画像を配置した場合における分割画像Ｂ１、Ｂ２、Ｂ３、Ｂ４、Ｂ５、およびＢ６の各々の左上隅の座標を基準座標に決定する。ここでは、分割画像Ｂ１は（ｘ１，ｙ１）という基準座標を有し、分割画像Ｂ２は（ｘ３，ｙ１）という基準座標を有し、分割画像Ｂ３は（ｘ１，ｙ２）という基準座標を有し、分割画像Ｂ４は（ｘ３，ｙ２）という基準座標を有し、分割画像Ｂ５は（ｘ２，ｙ３）という基準座標を有し、分割画像Ｂ６は（ｘ４，ｙ３）という基準座標を有している。
【０１１４】
モバイル機器２００は、２ページ目の画像内の左上のエリアに存在する（基準座標のｘ座標およびｙ座標が最も小さい）分割画像Ｂ１を、１番目に表示する分割画像に決定する。次に、モバイル機器２００は、分割座標Ｂ１の基準座標の副走査方向の成分（座標ｙ１）と同一の副走査方向の成分の基準座標を有する分割画像を優先的に、分割画像Ｂ１に続いて表示する分割画像に決定する。ここでは分割画像Ｂ２を、２番目に表示する分割画像に決定する。
【０１１５】
モバイル機器２００は、分割座標Ｂ１の基準座標の副走査方向の成分（座標ｙ１）と同一の副走査方向の成分の基準座標を有する分割画像が無い場合には、分割画像Ｂ１の基準座標の主走査方向の成分（座標ｘ１）と同一の主走査方向の成分の基準座標であって、分割画像Ｂ１の基準座標に最も近い基準座標を有する分割画像を、分割画像Ｂ２に続いて表示する分割画像に決定する。ここでは分割画像Ｂ３を、３番目に表示する分割画像に決定する。次に、モバイル機器２００は、分割座標Ｂ３の基準座標の副走査方向の成分（座標ｙ２）と同一の副走査方向の成分の基準座標を有する分割画像を優先的に、分割画像Ｂ３に続いて表示する分割画像に決定する。ここでは分割画像Ｂ４を、４番目に表示する分割画像に決定する。
【０１１６】
モバイル機器２００は、分割座標Ｂ３の基準座標の副走査方向の成分（座標ｙ２）と同一の副走査方向の成分の基準座標を有する分割画像が無い場合には、分割画像Ｂ３の基準座標に最も近い基準座標を有する分割画像Ｂ５を、５番目に表示する分割画像に決定する。モバイル機器２００は、残った分割画像Ｂ６を、６番目に表示する分割画像に決定する。
【０１１７】
図１７は、本発明の第３の実施の形態において、２ページ目の画像に所定のサイズ以下の文字が含まれている場合に、モバイル機器２００が画像ファイルの画像を表示する順番を模式的に示す図である。
【０１１８】
図１７を参照して、モバイル機器２００は、分割画像Ｂ１、Ｂ２、Ｂ３、Ｂ４、Ｂ５、およびＢ６をこの順番で１枚ずつ拡大表示する。分割画像Ｂ１、Ｂ２、Ｂ３、およびＢ４の各々は、２ページ目の画像の倍率よりも高い倍率で表示される。分割画像Ｂ５は、分割画像Ｂ１、Ｂ２、Ｂ３、Ｂ４の各々の倍率よりも高い倍率で表示される。分割画像Ｂ５およびＢ６の各々は、９０度回転した状態で表示される。全ての分割画像を表示した後、モバイル機器２００は、赤色画像を表示する。
【０１１９】
画像形成装置１００は、青色画像を読み取ると、青色画像の直前に表示した画像を基準画像に設定し、青色画像を破棄する。そして画像形成装置１００は、青色画像に続いて読み取った分割画像と、基準画像と対比することにより、分割画像の位置、サイズ、および向きを判断する。画像形成装置１００は、分割画像を表示する順番に関するルールに基づくことで、分割画像の位置を容易に判断することができる。そして画像形成装置１００は、基準画像のレイアウトを維持しつつ、読み取った分割画像と重複している基準画像の領域を、読み取った分割画像と置き換える。分割画像同士の重複がある場合には、拡大率の高い分割画像の方と優先的に置き換える。画像形成装置１００は、基準画像と対比することにより、分割画像Ｂ５およびＢ６が９０度回転後の画像であることを認識し、分割画像Ｂ５およびＢ６を元の向きに直してから基準画像の領域を置き換える。画像形成装置１００は、赤色画像を読み取ると、赤色画像を破棄して、基準画像と分割画像との置き換えを終了し、３ページ目の画像を読み取る。
【０１２０】
図１８は、本発明の第３の実施の形態における図１２のステップＳ１０８のサブルーチンである。
【０１２１】
図１８を参照して、このフローチャートは、ステップＳ３０１に続く処理、およびステップＳ３０５に続く処理が図１３に示すサブルーチンと異なっている。ＣＰＵ２０３は、青色画像を表示し（Ｓ３０１）、文字サイズに応じたサイズで対象となる画像を分割することにより、分割画像の各々を作成し（Ｓ３１１）、分割画像の各々の基準座標を特定（決定）する（Ｓ３１２）。次にＣＰＵ２０３は、分割画像の各々の基準座標に基づいて、分割画像の各々を表示する順番を決定する（Ｓ３１３）。その後、ＣＰＵ２０３は、ステップＳ３０３以降の処理を行う。
【０１２２】
ステップＳ３０５において、最後の分割画像を表示しないと判別した場合（Ｓ３０５でＮＯ）、ＣＰＵ２０３は、次の分割画像の長手方向が、分割の対象となった画像の長手方向と一致しているか否かを判別する（Ｓ３１４）。
【０１２３】
ステップＳ３１４において、次の分割画像の長手方向が、分割の対象となった画像の長手方向と一致していると判別した場合（Ｓ３１４でＹＥＳ）、ＣＰＵ２０３は、次に表示する画像の向きを変えずに、表示する画像を次の分割画像に切り替え（Ｓ３１５）、ステップＳ３０４の処理へ進む。
【０１２４】
ステップＳ３１４において、次の分割画像の長手方向が、分割の対象となった画像の長手方向と一致していないと判別した場合（Ｓ３１４でＮＯ）、ＣＰＵ２０３は、次に表示する画像を９０度回転して元の向きに直し、表示する画像を次の分割画像に切り替え（Ｓ３１６）、ステップＳ３０４の処理へ進む。上述以外の処理は、図１３に示すフローチャートと同様である。
【０１２５】
図１９は、本発明の第３の実施の形態における図１４のステップＳ２０７のサブルーチンである。
【０１２６】
図１９を参照して、このフローチャートは、ステップＳ４０４に続く処理が図１５に示すサブルーチンと異なっている。ステップＳ４０４において、読み取った画像が赤色画像でないと判別した場合（Ｓ４０４でＮＯ）、ＣＰＵ１０４は、分割画像を表示する順番に関するルールと、基準画像との比較結果とに基づいて、読み取った分割画像の位置を特定する（Ｓ４１１）。続いてＣＰＵ１０４は、基準画像との比較結果に基づいて、読み取った分割画像が９０度回転しているか否かを判別する（Ｓ４１２）。
【０１２７】
ステップＳ４１２において、読み取った画像が９０度回転していると判別した場合（Ｓ４１２でＹＥＳ）、ＣＰＵ１０４は、読み取った画像の向きを元の向きに戻し（−９０度回転し）（Ｓ４１３）、ステップＳ４０６の処理へ進む。一方、ステップＳ４１２において、読み取った画像が９０度回転していないと判別した場合、ＣＰＵ１０４はステップＳ４０６の処理へ進む。上述以外の処理は、図１５に示すフローチャートと同様である。
【０１２８】
なお、本実施の形態における画像形成装置１００およびモバイル機器２００の構成、ならびに画像形成装置１００およびモバイル機器２００の上述以外の動作は、第１の実施の形態の場合と同様であるので、その説明は繰り返さない。
【０１２９】
［第４の実施の形態］
【０１３０】
本実施の形態において、モバイル機器２００は、画像ファイルの画像を画像形成装置１００に読み取らせる場合、露光ランプ１１１ａの消灯を確認し、点灯している場合には警告音を発する。
【０１３１】
図２０は、本発明の第４の実施の形態におけるモバイル機器２００の動作を示すフローチャートである。
【０１３２】
図２０を参照して、このフローチャートは、ステップＳ１０３に続く処理が図８に示すフローチャートと異なっている。ステップＳ１０３において、スライダーを２回検出したと判別した場合（Ｓ１０３でＹＥＳ）、ＣＰＵ２０３は、露光ランプが消灯しているか否かを判別する（Ｓ１１１）。露光ランプの消灯の有無は、スライダーを検出した際に撮像された画像の明度（光量）が閾値以下であるか否かなどに基づいて判別される。
【０１３３】
ステップＳ１１１において、露光ランプが消灯していると判別した場合（Ｓ１１１でＹＥＳ）、ＣＰＵ２０３は、ステップＳ１０４の処理へ進む。
【０１３４】
ステップＳ１１１において、露光ランプが点灯していると判別した場合（Ｓ１１１でＮＯ）、ＣＰＵ２０３は、スピーカーから警告音を発することにより、露光ランプの点灯を通知し（Ｓ１１２）、ステップＳ１０５の処理へ進む。上述以外の処理は、図８に示すフローチャートと同様である。
【０１３５】
なお、本実施の形態における画像形成装置１００およびモバイル機器２００の構成、ならびに画像形成装置１００およびモバイル機器２００の上述以外の動作は、第１の実施の形態の場合と同様であるので、その説明は繰り返さない。
【０１３６】
［第５の実施の形態］
【０１３７】
本実施の形態において、モバイル機器２００は、スライダー１１１の移動動作時の音に基づいて、スライダーの移動動作を検出する。具体的には、画像形成装置１００は、１ページ分の画像の読み取りが完了する度（たとえば図７において、スライダー１１１が可動範囲の右端部に到達した時）に、スピーカー１０７から音を発する。モバイル機器２００は、画像形成装置１００が発する音をマイク２０５で検出する。モバイル機器２００は、画像形成装置１００が発する音を検出した場合、１回の画像の読み取りが終了したと判断し、表示する画像を次ページの画像に切り替える。
【０１３８】
図２１は、本発明の第５の実施の形態におけるモバイル機器２００の動作を示すフローチャートである。
【０１３９】
図２１を参照して、このフローチャートは、ステップＳ１０２に続く処理が図８に示すフローチャートと異なっている。ステップＳ１０２において、画像ファイルの１ページ目の画像を表示した後、ＣＰＵ２０３は、マイクによるスライダーの移動動作時の音の検出を開始し、１ページ分の画像の読み取りが完了する度に画像形成装置１００が発する音を検出したか否かを判別する（Ｓ１２１）。画像形成装置１００が発する音を検出したと判別するまで、ＣＰＵ２０３はステップＳ１２１の処理を繰り返す。
【０１４０】
ステップＳ１２１において、画像形成装置１００が発する音を検出したと判別した場合（Ｓ１２１でＹＥＳ）、ＣＰＵ２０３はステップＳ１０４の処理へ進み、最終ページを表示したか否かを判別する（Ｓ１０４）。上述以外の処理は、図８に示すフローチャートと同様である。
【０１４１】
図２２は、本発明の第５の実施の形態における画像形成装置１００の動作を示すフローチャートである。
【０１４２】
図２２を参照して、このフローチャートは、ステップＳ２０２に続く処理が図９に示すフローチャートと異なっている。ステップＳ２０２において、露光ランプを点灯せずに画像の読み取りを開始した後、画像形成装置１００のＣＰＵ１０４は、１ページ分の画像の読み取りが完了したか否かを判別する（Ｓ２２１）。１ページ分の画像の読み取りが完了したと判別するまで、ＣＰＵ１０４はステップＳ２２１の処理を繰り返す。
【０１４３】
ステップＳ２２１において、１ページ分の画像の読み取りが完了したと判別した場合（Ｓ２２１でＹＥＳ）、ＣＰＵ１０４は、スピーカーから音を鳴らし（Ｓ２２２）、ステップＳ２０３の処理へ進む。上述以外の処理は、図９に示すフローチャートと同様である。
【０１４４】
なお、本実施の形態における画像形成装置１００およびモバイル機器２００の構成、ならびに画像形成装置１００およびモバイル機器２００の上述以外の動作は、第１の実施の形態の場合と同様であるので、その説明は繰り返さない。
【０１４５】
本実施の形態では、画像形成装置１００が１ページ分の画像の読み取りが完了する度に音を発し、モバイル機器２００はその音を検出した場合に、表示する画像を切り替える場合について示したが、画像形成装置１００は、１ページ分の画像の読み取りが完了する度に音を発しなくてもよい。この場合、モバイル機器２００は、移動動作時にスライダー１１１が発する音（機械的に発生する音）を検出し、その検出結果に基づいて表示する画像を切り替えてもよい。
【０１４６】
モバイル機器２００は、スライダー１１１が発する音に基づいてスライダー１１１の移動動作を検出する場合、カメラ２０２で撮像した画像に基づいてスライダー１１１の移動動作を検出しなくてもよいし、カメラ２０２で撮像した画像と、スライダー１１１の移動動作時の音との両方に基づいて、スライダーの移動動作を検出してもよい。
【０１４７】
［第６の実施の形態］
【０１４８】
本実施の形態において、モバイル機器２００は、カメラ２０２を用いてスライダー１１１の移動動作の向きをさらに検出し、スライダー１１１の移動動作の向きに基づいて次ページの画像の表示方向を決定する。
【０１４９】
図２３は、本発明の第６の実施の形態におけるスライダー１１１の移動方向と、次ページの画像の向きとの関係を模式的に示す図である。
【０１５０】
図２３（ａ）を参照して、モバイル機器２００は、スライダー１１１の移動方向が矢印ＡＲ５で示す方向であることを検出する。この場合モバイル機器２００は、表示部２０１の長辺Ｌ１がスライダー１１１の移動方向に対して平行であることを特定する。またモバイル機器２００は、スライダー１１１の開始位置ＳＴが表示部２０１の上側にあることを特定する。そしてモバイル機器２００は、モバイル機器２００の向きと、スライダー１１１の開始位置ＳＴとに基づいて、次ページの画像の向きを決定する。図２３（ａ）では、次ページの画像の長辺が、表示部２０１の長辺に対して平行になるように、かつ表示部２０１の上部が次ページ画像の上部となるように、次ページの画像の向きが決定される。
【０１５１】
図２３（ｂ）を参照して、モバイル機器２００は、スライダー１１１の移動方向が矢印ＡＲ６で示す方向であることを検出する。この場合モバイル機器２００は、表示部２０１の長辺Ｌ１がスライダー１１１の移動方向に対して垂直であることを特定する。またモバイル機器２００は、スライダー１１１の開始位置ＳＴが表示部２０１の左側にあることを特定する。そしてモバイル機器２００は、モバイル機器２００の向きと、スライダー１１１の開始位置ＳＴとに基づいて、次ページの画像の向きを決定する。図２３（ｂ）では、次ページの画像の長辺が、表示部２０１の長辺に対して垂直になるように、かつ表示部２０１の上部が次ページ画像の左側となるように、次ページの画像の向きが決定される。
【０１５２】
図２４は、本発明の第６の実施の形態におけるモバイル機器２００の動作を示すフローチャートである。
【０１５３】
図２４を参照して、このフローチャートは、ステップＳ１０２に続く処理が図８に示すフローチャートと異なっている。ステップＳ１０２において、画像ファイルの１ページ目の画像を表示した後、モバイル機器２００のＣＰＵ２０３は、スライダーの移動方向を検出したか否かを判別する（Ｓ１３１）。スライダーの移動方向を検出したと判別するまで、ＣＰＵ２０３はステップＳ１３１の処理を繰り返す。
【０１５４】
ステップＳ１３１において、スライダーの移動方向を検出したと判別した場合（Ｓ１３１でＹＥＳ）、ＣＰＵ２０３は、検出したスライダーの移動方向に基づいて、モバイル機器２００の向きを特定し（Ｓ１３２）、スライダーの開始位置を特定する（Ｓ１３３）。次にＣＰＵ２０３は、モバイル機器２００の向きと、スライダーの開始位置とに基づいて、次ページの画像の向きを決定し（Ｓ１３４）、ステップＳ１０３の処理へ進む。上述以外の処理は、図８に示すフローチャートと同様である。
【０１５５】
［実施の形態の効果］
【０１５６】
上述の実施の形態によれば、画像形成装置１００とモバイル機器２００との間で電気通信を行うことはできない状況で、モバイル機器２００に保存された複数ページの画像ファイルを順番にモバイル機器２００に表示させ、それを画像形成装置１００が読み取る場合に、ユーザーは、モバイル機器２００に表示する画像を１ページずつ手動で切り替える必要がなくなる。その結果、画像読み取りに要する時間が短縮され、画像形成装置１００およびモバイル機器２００の利便性を高めることができる。
【０１５７】
特に第２および第３の実施の形態によれば、画像に小さい文字が含まれている場合に、その画像を拡大した分割画像を画像形成装置１００に読み取らせることができる。これにより、小さい文字が含まれている画像の解像度を上げることができる。また、モバイル機器２００の表示部２０１のサイズが小さい場合には、表示される画像に含まれる文字も小さくなるが、このような画像を画像形成装置１００が読み取る際に、読み取った文字がつぶれた状態となるのを抑止することができる。
【０１５８】
特に第３の実施の形態によれば、小さいサイズの文字が含まれているエリアは、文字を読み取るために高い解像度が必要であるので、小さい分割サイズで分割画像を作成し、その分割画像を高い拡大率で表示することができる。一方、大きいサイズの文字が含まれているエリアは、解像度が低くても文字を読み取ることができるので、大きい分割サイズで分割画像を作成し、その分割画像を低い拡大率で表示することができる。また第３の実施の形態によれば、分割画像を表示する順番をルール化することで、画像形成装置１００が読み取った分割画像の位置を特定しやすくなる。さらに、所定の場合に分割画像を９０度回転させて表示することにより、分割画像をより大きい拡大率で表示することができる。
【０１５９】
また、モバイル機器２００が表示した画像は十分に明るいので、画像形成装置１００は、露光ランプ１１１ａをオフした状態でモバイル機器２００に表示された画像を読み取ることが好ましい。特に第４の実施の形態によれば、読み取った画像が、光量が多すぎることにより劣化するのを抑止することができる。
【０１６０】
さらに、特に第６の実施の形態によれば、スライダー１１１の移動方向に適した向きで画像を表示することができる。
【０１６１】
［その他］
【０１６２】
上述の実施の形態は適宜組み合わせることができる。たとえば、第２または第３の実施の形態のように画像を分割して表示する構成に対して、第４の実施の形態のように警告音を発する構成を適用してもよいし、第５の実施の形態のように移動動作時の音に基づいてスライダーの移動動作を検出する構成を適用してもよいし、第６の実施の形態のようにスライダーの移動動作の向きに基づいて画像の表示方向を決定する構成を適用してもよい。また、第４の実施の形態のように警告音を発する構成に対して、第５の実施の形態のように移動動作時の音に基づいてスライダーの移動動作を検出する構成を適用してもよいし、第６の実施の形態のようにスライダーの移動動作の向きに基づいて画像の表示方向を決定する構成を適用してもよい。さらに、第５の実施の形態のように移動動作時の音に基づいてスライダーの移動動作を検出する構成に対して、第６の実施の形態のようにスライダーの移動動作の向きに基づいて画像の表示方向を決定する構成を適用してもよい。
【０１６３】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１６４】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６５】
１００  画像形成装置
１０１  スキャナー装置
１０１ａ  ＡＤＦ（Ａｕｔｏ  Ｄｏｃｕｍｅｎｔ  Ｆｅｅｄｅｒ）
１０１ｂ  読取部
１０２  画像処理装置
１０２ａ  画像編集部
１０２ｂ  画像記憶部
１０３  印刷装置
１０３ａ  印刷部
１０３ｂ  ステープル部
１０４，２０３  ＣＰＵ（Ｃｅｎｔｒａｌ  Ｐｒｏｃｅｓｓｉｎｇ  Ｕｎｉｔ）
１０５  操作パネル
１０５ａ  表示パネル
１０５ｂ，２０４  検出部
１０６，２０６  記憶部
１０７，２０７  スピーカー
１１１  スライダー
１１１ａ  露光ランプ
１１１ｂ  ミラー
１１２  ミラー群
１１３  レンズ
１１４  ＣＣＤ（Ｃｈａｒｇｅ  Ｃｏｕｐｌｅｄ  Ｄｅｖｉｃｅ）イメージセンサ
１１５  ガラス
１１６  モーター
２００  モバイル機器
２０１  表示部
２０２  カメラ
２０５  マイク
Ｂ１，Ｂ２，Ｂ３，Ｂ４，Ｂ５，Ｂ６  分割画像
Ｌ１  表示部の長辺
Ｐ１，Ｐ２，Ｐ３  画像の一部分
ＳＴ  開始位置
【図１】
2015100055.tif 000003
【図２】
2015100055.tif 000004
【図３】
2015100055.tif 000005
【図４】
2015100055.tif 000006
【図５】
2015100055.tif 000007
【図６】
2015100055.tif 000008
【図７】
2015100055.tif 000009
【図８】
2015100055.tif 000010
【図９】
2015100055.tif 000011
【図１０】
2015100055.tif 000012
【図１１】
2015100055.tif 000013
【図１２】
2015100055.tif 000014
【図１３】
2015100055.tif 000015
【図１４】
2015100055.tif 000016
【図１５】
2015100055.tif 000017
【図１６】
2015100055.tif 000018
【図１７】
2015100055.tif 000019
【図１８】
2015100055.tif 000020
【図１９】
2015100055.tif 000021
【図２０】
2015100055.tif 000022
【図２１】
2015100055.tif 000023
【図２２】
2015100055.tif 000024
【図２３】
2015100055.tif 000025
【図２４】
2015100055.tif 000026